(57)【要約】【課題】ネットワークに接続された複数のプログラマブル表示器の各々において、ファームウェア等のバージョンの更新を手間と労力を必要とせず、また、バージョンの統一を可能とする。【解決手段】プログラマブル表示器１１乃至１４は、それぞれバージョン情報管理部と情報判断部と更新実行部とを備え、１のプログラマブル表示器は他のプログラマブル表示器との間でバージョン情報を参照しバージョン更新の条件に応じて情報判断部がバージョンを更新する。例えば、バージョン更新の条件が一番新しいバージョンを使用することであるとき、第１プログラマブル表示器１１が、他の３台のプログラマブル表示器１２乃至１４のバージョンがＮｏ．Ａよりも新しいＮｏ．Ｂを使用していたとすると、第２プログラマブル表示器１２からバージョンＮｏ．Ｂを入手して自己のバージョンを更新する。こうして、手間と労力を必要とせずに更新が行なわれバージョンが統一される。【選択図】図６
2007280201.tif 000002
【特許請求の範囲】
【請求項１】
プログラムを格納したメモリ部と、
前記メモリ部のプログラムに基いて機器全体を制御する制御部と、
前記制御部からの指示により画像を表示する表示部と、を備えたプログラマブル表示器において、
前記メモリ部に、
自己及びネットワークに接続されている他のプログラマブル表示器が使用しているファームウェア及び画面情報の各バージョン情報を保持するバージョン情報管理部と、
前記他のプログラマブル表示器のバージョン情報を該プログラマブル表示器のバージョン情報管理部より取得し、自己のバージョン情報管理部に引き渡し、また、自己が使用しているファームウェア及び画面情報の各バージョンを更新するか否かの判断と、更新によって新たに使用するバージョンの入手先となるプログラマブル表示器を選定する情報判断部と、
自己のファームウェア及び画面情報の各バージョンを更新する更新実行部と、を備え、
ネットワークに接続されている他のプログラマブル表示器との間で、各機器のバージョン情報を相互に参照し、それぞれのバージョン情報を基に自己が使用しているファームウェア及び画面情報の各バージョンを更新することを特徴とするプログラマブル表示器。
【請求項２】
前記更新実行部は、更新の対象が画面情報であることを特徴とする請求項１に記載のプログラマブル表示器。
【請求項３】
前記情報判断部は、ファームウェア及び画面情報の各バージョンの更新実施の判断を、それぞれのバージョン情報の内の日付データによって行なうことを特徴とする請求項１又は請求項２に記載のプログラマブル表示器。    
【請求項４】
前記情報判断部は、ファームウェア及び画面情報の各バージョンの更新実施の判断を、それぞれのバージョン情報の内のバージョンＮｏ．と日付データとによって行なうことを特徴とする請求項１又は請求項２に記載のプログラマブル表示器。
【請求項５】
前記情報判断部は、ファームウェア及び画面情報の各バージョンを、最も多くのプログラマブル表示器で使用されているバージョンに更新することを特徴とする請求項１乃至請求項４のいずれかに記載のプログラマブル表示器。
【請求項６】
前記情報判断部は、ネットワークに接続された全ての他のプログラマブル表示器からファームウェア及び画面情報の各バージョン情報の取得を、予め定められた時間毎に行なうことを特徴とする請求項１乃至請求項５のいずれかに記載のプログラマブル表示器。
【請求項７】
前記情報判断部は、予め定められた他のプログラマブル表示器から、ネットワークに接続された全ての他のプログラマブル表示器のファームウェア及び画面情報の各バージョン情報を受け取ると、自己のファームウェア及び画面情報の各バージョンの更新実施を判断し、自己のバージョン情報のデータを修正し、該バージョン情報を予め定められた次のプログラマブル表示器に送ることを特徴とする請求項１乃至請求項６のいずれかに記載のプログラマブル表示器。
【発明の詳細な説明】
【技術分野】
【０００１】
本発明は、プログラマブル・ロジック・コントローラ（ＰＬＣ）にネットワーク接続されるプログラマブル表示器に関する。
【背景技術】
【０００２】
従来から、ＰＬＣとネットワーク接続され使用されるプログラマブル表示器が知られている。このプログラマブル表示器は、例えば、工場の生産ラインに配設されて生産状況等を表示し、また、プログラマブル表示器から資材の要求等を行なうことができる。一般に、この種のプログラマブル表示器を稼動させるファームウェアのバージョンや表示される写真等の画像のバージョンは適宜に更新される。
【０００３】
バージョンの更新は、パソコンをプログラマブル表示器１台毎に繋いで行なわれている。また、例えば、特許文献１に示されるように、１台のマスタプログラマブル表示器と複数台のスレーブプログラマブル表示器が接続されているシステムにおいて、マスタプログラマブル表示器にパソコンを繋ぎ所定のモードに変更し、パソコンから任意のスレーブプログラマブル表示器に、マスタプログラマブル表示器をスルーしてデータ通信が行なえるようにし、ファームウェア等のバージョンの更新を行なうことが知られている。
【特許文献１】特開２００５−１３５１７６号公報
【発明の開示】
【発明が解決しようとする課題】
【０００４】
しかしながら、従来のようにファームウェア等のバージョンの更新時にパソコンをプログラマブル表示器１台毎に繋いでバージョンを更新するのは手間と労力を必要とし、また、プログラマブル表示器の設置場所によっては、パソコンと繋ぐのが困難であった。また、上述した特許文献１に示されるようなプログラマブル表示器においても、バージョンの更新には手間を要し、また、人為的な誤りによりバージョンが統一されないといったことが起きる虞があった。
【０００５】
本発明は、上記問題を解消するものであり、複数のプログラマブル表示器がネットワークに接続されたとき、その設置場所に拘らずに各プログラマブル表示器のファームウェア等のバージョンの更新を手間と労力を必要とせず、簡単に行なうことができ、ネットワークに接続されている全てのプログラマブル表示器のバージョンを統一することができるプログラマブル表示器を提供することを目的とする。
【課題を解決するための手段】
【０００６】
上記目的を達成するために請求項１の発明は、プログラムを格納したメモリ部と、前記メモリ部のプログラムに基いて機器全体を制御する制御部と、前記制御部からの指示により画像を表示する表示部と、を備えたプログラマブル表示器において、前記メモリ部に、自己及びネットワークに接続されている他のプログラマブル表示器が使用しているファームウェア及び画面情報の各バージョン情報を保持するバージョン情報管理部と、前記他のプログラマブル表示器のバージョン情報を該プログラマブル表示器のバージョン情報管理部より取得し、自己のバージョン情報管理部に引き渡し、また、自己が使用しているファームウェア及び画面情報の各バージョンを更新するか否かの判断と、更新によって新たに使用するバージョンの入手先となるプログラマブル表示器を選定する情報判断部と、自己のファームウェア及び画面情報の各バージョンを更新する更新実行部と、を備え、ネットワークに接続されている他のプログラマブル表示器との間で、各機器のバージョン情報を相互に参照し、それぞれのバージョン情報を基に自己が使用しているファームウェア及び画面情報の各バージョンを更新するものである。
【０００７】
請求項２の発明は、請求項１に記載のプログラマブル表示器において、前記更新実行部は、更新の対象が画面情報であるものである。
【０００８】
請求項３の発明は、請求項１又は請求項２に記載のプログラマブル表示器において、前記情報判断部は、ファームウェア及び画面情報の各バージョンの更新実施の判断を、それぞれのバージョン情報の内の日付データによって行なうものである。
【０００９】
請求項４の発明は、請求項１又は請求項２に記載のプログラマブル表示器において、前記情報判断部は、ファームウェア及び画面情報の各バージョンの更新実施の判断を、それぞれのバージョン情報の内のバージョンＮｏ．と日付データとによって行なうものである。
【００１０】
請求項５の発明は、請求項１乃至請求項４のいずれかに記載のプログラマブル表示器において、前記情報判断部は、ファームウェア及び画面情報の各バージョンを、最も多くのプログラマブル表示器で使用されているバージョンに更新するものである。
【００１１】
請求項６の発明は、請求項１乃至請求項５のいずれかに記載のプログラマブル表示器において、前記情報判断部は、ネットワークに接続された全ての他のプログラマブル表示器からファームウェア及び画面情報の各バージョン情報の取得を、予め定められた時間毎に行なうものである。
【００１２】
請求項７の発明は、請求項１乃至請求項６のいずれかに記載のプログラマブル表示器において、前記情報判断部は、予め定められた他のプログラマブル表示器から、ネットワークに接続された全ての他のプログラマブル表示器のファームウェア及び画面情報の各バージョン情報を受け取ると、自己のファームウェア及び画面情報の各バージョンの更新実施を判断し、自己のバージョン情報のデータを修正し、該バージョン情報を予め定められた次のプログラマブル表示器に送るものである。
【発明の効果】
【００１３】
請求項１の発明によれば、プログラマブル表示器は、ネットワークに接続されたとき、該ネットワークに接続された他のプログラマブル表示器との間で、各機器のバージョン情報を相互に参照し、それぞれのバージョン情報を基に自己が使用しているファームウェア及び画面情報の各バージョンを自動的に更新するので、プログラマブル表示器の設置場所に拘らずに手間と労力を必要とせず、簡単にバージョンの更新を行なうことができる。また、ネットワークに接続された全てのプログラマブル表示器のバージョンを統一することができる。
【００１４】
請求項２の発明によれば、更新の対象が少なくなるので、バージョン更新の時間を短縮することができる。
【００１５】
請求項３の発明によれば、更新実施の判断をバージョン情報の内の日付データによって行なうので、バージョンＮｏ．に捉われずにバージョン更新を行なうことができる。
【００１６】
請求項４の発明によれば、更新実施の判断をバージョン情報の内のバージョンＮｏ．と日付データとで行なうので、正確にバージョン更新を行なうことができる。
【００１７】
請求項５の発明によれば、最も多くのプログラマブル表示器で使用されているバージョンに更新するので、ネットワークに接続されている少数台数のプログラマブル表示器の入れ替えにおいて、バージョンを統一することができる。
【００１８】
請求項６の発明によれば、バージョン情報の取得を、予め定められた時間毎に行なうので、バージョン更新の処理量を少なくすることができる。
【００１９】
請求項７の発明によれば、ネットワークに接続された全ての他のプログラマブル表示器のファームウェア及び画面情報の各バージョン情報がプログラマブル表示器間で順番に転送されるので、通信の回数を少なくすることができる。
【発明を実施するための最良の形態】
【００２０】
（第１の実施形態）
本発明の第１の実施形態に係るプログラマブル表示器１について図１乃至図６を参照して説明する。図１は、プログラマブル表示器１の構成を示す。プログラマブル表示器１は、プログラムやデータを格納したメモリ部２と、メモリ部２のプログラムに基いて機器全体を制御する制御部３と、制御部３からの指示により画像を表示する表示部４と、制御部３に命令を与えるスイッチ部５と、ネットワーク７に繋がった他の機器とデータの交換を行うインターフェース部６と、を備えている。
【００２１】
このプログラマブル表示器１の用途としては、例えば、工場の生産ラインや回転寿司店等の飲食店の客席に複数台が設置され、それぞれがネットワーク接続される。いま、回転寿司店の例で説明すると、メモリ部２には、プログラマブル表示器１から客が飲食物を注文する方法を表示するためのプログラムや飲食物の写真が格納され、表示部４には、飲食物の写真が映される。また、スイッチ部５は、表示部４上に、画面操作スイッチとして設けられて、飲食物の写真を押すことによりインターフェース部６を通じてネットワーク７に接続された他の機器へ注文情報を送信することができる。
【００２２】
図２は、上記プログラマブル表示器１の複数台がネットワーク７に接続されている状態を示す。ネットワーク７には、プログラマブル・ロジック・コントローラ（以下、ＰＬＣという）８が、例えば、シリアルＲＳ４８５方式で接続されている。プログラマブル表示器１とＰＬＣ８は、相互にデータの通信を行い、プログラマブル表示器１は、ＰＬＣ８に制御される。ＰＬＣ８は、ネットワークに接続されている任意のプログラマブル表示器１に命令を出力し、また、プログラマブル表示器１から送信されたデータを受信する。プログラマブル表示器１は、ＰＬＣ８から出力された命令を受けて、メモリ部２に格納されているプログラムに従い、メモリ部２に格納されている画像を表示部４に表示する。また、プログラマブル表示器１は、スイッチ部５がユーザにより操作されることにより、ＰＬＣ８や他のプログラマブル表示器１に命令信号を出力する。また、プログラマブル表示器１は、ネットワーク７に接続されている他のプログラマブル表示器１と通信を行い、連動して動作する。
【００２３】
図３は、プログラマブル表示器１のメモリ部２の構成を示す。メモリ部２は、バージョン情報管理部２１１と情報判断部２１２と更新実行部２１３とを有するバージョン部２１と、ファームウェア２２と、画面情報２３と、自分自身のプログラマブル表示器（以下、自己と略す）を動かすプログラム２４等から構成されている。バージョン情報管理部２１１は、自己及びネットワーク７に接続されている他のプログラマブル表示器１の各バージョン情報を保持する。情報判断部２１２は、バージョン情報管理部２１１において保持される他のプログラマブル表示器１のバージョン情報を各プログラマブル表示器１から取得し、自己が使用しているファームウェア２２及び画面情報２３の各バージョンを更新するか否かを判断し、また、新たに使用するバージョンの入手先となるプログラマブル表示器１を選定する。更新実行部２１３は、情報判断部２１２の指示によりバージョンを更新する。本明細書で言う「バージョン情報」とは、各プログラマブル表示器１が使用しているファームウェア２２及び画面情報２３のバージョンのデータをいう。バージョンのデータは、それぞれのバージョンに付与されたバージョンＮｏ．と日付データとの少なくとも一つから構成されている。バージョンＮｏ．は、例えば、新しいバージョン毎に英文字を順番に付与すればよく、日付データは、例えば、該バージョンが作成された日付を用いればよい。また、「画面情報」とは、表示部４に表示される写真等の画像を表示するデータをいう。
【００２４】
図４は、上記のように構成されたメモリ部２のバージョン情報管理部２１１、情報判断部２１２、及び更新実行部２１３の関係を示す。情報判断部２１２は、他のプログラマブル表示器１の各バージョン情報を取得し、バージョン情報管理部２１１へ引き渡す。バージョン情報管理部２１１は、自己及びネットワークに接続されている他のプログラマブル表示器１の各バージョン情報をバージョン情報ファイル９に保持する。情報判断部２１２は、バージョン情報ファイル９のデータを基に、自己が使用しているファームウェア２２及び画面情報２３の各バージョンを更新するか否かを判断し、更新するときは、新たに使用するバージョンの入手先となるプログラマブル表示器１を選定し、更新実行部２１３に更新を指示する。指示された更新実行部２１３は、情報判断部２１２が選定したプログラマブル表示器１から新たに使用するバージョンを取得し、更新を行なう。本明細書で言う「バージョン情報ファイル」とは、ネットワークに繋がっている全てのプログラマブル表示器１のバージョン情報を登録したリストをいう。
【００２５】
図５は、上記ファームウェア２２及び画面情報２３の各バージョンの更新処理のフローを示す。この実施形態において、バージョンの更新の対象を、ファームウェア２２及び画面情報２３としてもよいし、画面情報２３だけに限定してもよい。画面情報２３だけに限定することで更新に要する時間を短縮することができる。
【００２６】
プログラマブル表示器１の情報判断部２１２は、ネットワークに繋がった全ての他のプログラマブル表示器１のバージョン情報を順番に取得し、自己のバージョン情報管理部２１１に引き渡す（Ｓ１）。そして、バージョン情報管理部２１１は、保持しているバージョン情報ファイル９のデータを引き渡されたバージョン情報のデータに合わせて修正する（Ｓ２）。次に、情報判断部２１２は、プログラム２４で決められたバージョンの更新条件に従って、バージョン情報管理部２１１のバージョン情報ファイル９のデータを基に、自己が使用しているファームウェア２２及び画面情報２３の各バージョンを更新する必要があるか否かの判断を行う。更新する必要がある場合には、処理を続行し、必要がない場合には次のプログラマブル表示器１にバージョン更新の処理を引き継ぐ（Ｓ３）。更新条件が、例えば一番新しいバージョンＮｏ．を使用することであるときは、自己が使用しているバージョンＮｏ．よりも新しいバージョンＮｏ．を使用しているプログラマブル表示器１が有ればバージョンの更新を行なう。更新の条件を、ネットワークに接続されている中で最も多くのプログラマブル表示器１で使用されているバージョンに更新することにしてもよい。この条件にすれば、少数のプログラマブル表示器１を入れ替えても、多数のプログラマブル表示器１が使用しているバージョンに統一される。また、情報判断部２１２は、更新の判断をバージョンＮｏ．によって行なってもよいし、日付データによって行なってもよい。また、バージョンＮｏ．と日付データとの両方によって行なってもよい。
【００２７】
情報判断部２１２は、更新を行なうときは新たに使用するバージョンの入手先となるプログラマブル表示器１を、該バージョンを使用しているプログラマブル表示器１の中から選定する（Ｓ４）。例えば、各プログラマブル表示器１に付与した機台Ｎｏ．の一番小さいプログラマブル表示器１を選定すればよい。そして、情報判断部２１２は、更新実行部２１３に、バージョンの更新を行なわせる。更新実行部２１３は、選定されたプログラマブル表示器１から更新するバージョンを入手し、更新をする（Ｓ５）。更新が終了すると、バージョン情報管理部２１１は、バージョン情報ファイル９のデータを修正する（Ｓ６）。情報判断部２１２は、次のプログラマブル表示器１にバージョン更新の処理を引き継ぎ、次のプログラマブル表示器１が処理を開始する（Ｓ７）。
【００２８】
情報判断部２１２は、更新の処理を常時行なってもよいし、予め定めた時間毎に行なってもよい。常時行なえば、誤りによってバージョンが変更されても直ぐに修正されるし、予め定めた時間毎に行なえば、更新の処理量を少なくすることができる。
【００２９】
図６は、複数のプログラマブル表示器１間での上述バージョン更新処理の具体的な動作を説明するものである。この例では、４台のプログラマブル表示器１と１台のＰＬＣ８がネットワーク７に接続されており、バージョン更新の条件が一番新しいバージョンＮｏ．を使用することであるときのバージョン更新動作を示す。第１プログラマブル表示器１１は、他の３台からそれぞれのバージョン情報を取得する。第１プログラマブル表示器１１の使用しているバージョンがＮｏ．Ａであり、他の３台のプログラマブル表示器１がＮｏ．Ａよりも新しいバージョンのＮｏ．Ｂを使用しているので、第１プログラマブル表示器１１の情報判断部２１２は、更新する必要があると判断する。次に、情報判断部２１２は、更新するバージョンの入手先としてＮｏ．Ｂを使用している３台のプログラマブル表示器１の内で機台Ｎｏ．の一番小さい第２プログラマブル表示器１２を選定する。そして、第１プログラマブル表示器１１の更新実行部２１３は、第２プログラマブル表示器１２からバージョンＮｏ．Ｂを入手して更新をする。そして、バージョン情報のデータを修正して第２プログラマブル表示器１２にバージョン更新の処理を引き継ぐ。
【００３０】
このようにしてバージョン更新が行なわれるので、プログラマブル表示器１毎にパソコンを繋いでバージョンの更新を行わなくても、プログラマブル表示器１は、自動的に自己と他のプログラマブル表示器１が使用しているバージョンの比較を行い、バージョンの更新を行い、従って、使用されるバージョンが常に統一され、また、手間と労力を必要とせずにバージョンの更新を行なうことができる。
【００３１】
（第２の実施形態）
次に、本発明の第２の実施形態に係るプログラマブル表示器１について図７及び図８を参照して説明する。図７は、第２の実施形態におけるファームウェア２２及び画面情報２３の各バージョンの更新処理のフローを示す。第２の実施形態に係るプログラマブル表示器１の構成は、第１の実施形態と同等であるが、バージョン情報の入手方法が異なる。第１の実施形態では、それぞれのプログラマブル表示器１が全てのプログラマブル表示器１からバージョン情報を入手していたが、第２の実施形態では、プログラマブル表示器１は、自己が所有しているバージョン情報ファイル９をプログラマブル表示器１毎に付与された設置Ｎｏ．の順に次のプログラマブル表示器１に引き渡していくことによりバージョン情報を入手する。
【００３２】
プログラマブル表示器１の情報判断部２１２は、設置Ｎｏ．の順番が前のプログラマブル表示器１からバージョン情報ファイル９を受け取る（Ｓ１１）。そして、バージョン情報管理部２１１は、保持しているバージョン情報ファイル９のデータを引き渡されたバージョン情報ファイル９のデータに合わせて修正する（Ｓ１２）。次に、情報判断部２１２は、プログラム２４で決められたバージョンの更新条件に従って、バージョン情報管理部２１１のバージョン情報ファイル９のデータを基に、自己が使用しているファームウェア２２及び画面情報２３の各バージョンを更新するか否かの判断を行う。更新する必要がある場合には、処理を続行し、必要がない場合には次のプログラマブル表示器１にバージョン更新ファイルを引渡すと共にバージョン更新処理を引き継ぐ（Ｓ１３）。情報判断部２１２は、更新を行なうときは新たに使用するバージョンの入手先となるプログラマブル表示器１を、該バージョンを使用しているプログラマブル表示器１の中から選定する（Ｓ１４）。そして、情報判断部２１２は、更新実行部２１３に、バージョンの更新を行なわせる。更新実行部２１３は、選定されたプログラマブル表示器１から更新するバージョンを入手し、更新をする（Ｓ１５）。更新が終了すると、バージョン情報管理部２１１は、バージョン情報ファイル９のデータを修正する（Ｓ１６）。情報判断部２１２は、次のプログラマブル表示器１にバージョン更新ファイルを引渡すと共にバージョン更新処理を引き継ぎ、次のプログラマブル表示器１が処理を開始する（Ｓ１７）。
【００３３】
図８は、複数のプログラマブル表示器１間での上述バージョン更新処理の具体的動作を説明するものである。この例では、４台のプログラマブル表示器１と１台のＰＬＣ８がネットワーク７に接続されており、バージョン更新の条件が一番新しいバージョンＮｏ．を使用することであり、第１プログラマブル表示器１１乃至第４プログラマブル表示器１４の使用しているバージョンがＮｏ．Ａであるときの、第１プログラマブル表示器１１のバージョン更新動作を示す。
【００３４】
第１プログラマブル表示器１１は、バージョン情報ファイル９の自己のデータをＮｏ．ＡからＮｏ．Ｂに修正する。そして、該バージョン情報ファイル９を第２プログラマブル表示器１２に引き渡す。第２プログラマブル表示器１２の情報管理部２１１は、保持しているバージョン情報ファイル９の第１プログラマブル表示器１１のデータを引き渡されたバージョン情報ファイル９のデータに合わせてＮｏ．ＡからＮｏ．Ｂに修正する。第２プログラマブル表示器１２の情報判断部２１２は、自己が  使用しているバージョンがＮｏ．Ａであり、第１プログラマブル表示器１１がＮｏ．Ａよりも新しいバージョンのＮｏ．Ｂを使用しているので、更新する必要があると判断する。そして、該情報判断部２１２は、更新するバージョンの入手先としてＮｏ．Ｂを使用しているプログラマブル表示器１が第１プログラマブル表示器１１だけなので第１プログラマブル表示器１１を選定する。そして、第２プログラマブル表示器１２の更新実行部２１３は、第１プログラマブル表示器１１からバージョンＮｏ．Ｂを入手し、更新する。そして、バージョン情報ファイル９の自己のデータを修正して、第２プログラマブル表示器１２に該バージョン情報ファイル９を引渡し、更新の処理を引き継ぐ。以下、同様に順番に更新処理が行なわれる。
【００３５】
プログラマブル表示器１が順にバージョン情報ファイル９を引き渡すことにより、全てのプログラマブル表示器１は、他の全てのプログラマブル表示器１のバージョン情報を入手することができ、更新の処理を行うことができる。全てのプログラマブル表示器１がバージョン情報ファイル９を順番に転送することにより通信の回数を少なくすることができる。
【００３６】
なお、本発明は、上記各種実施形態の構成に限られず、発明の趣旨を変更しない範囲で種々の変形が可能である。例えば、更新の命令を自己のプログラム２４によって自動で行うだけでなく適宜にスイッチ部５で行ってもよいし、また、ネットワーク７に繋がれたＰＬＣ８やパソコンから行ってもよい。また、更新の条件をある特定のプログラマブル表示器１が使用しているバージョンと同一にすることでもよい。また、更新の対象をファームウェア２２と画面情報２３に限らずに、プログラマブル表示器１が使用する全てのプログラム２４及びデータを対象としてもよい。また、日付データは、任意の日付を付与してもよいし、日付だけでなく時刻まで付与してもよい。
【図面の簡単な説明】
【００３７】
【図１】本発明の第１実施の形態に係るプログラマブル表示器の構成図。
【図２】同プログラマブル表示器のネットワークの構成図。
【図３】同プログラマブル表示器のメモリ部の構成図。
【図４】同プログラマブル表示器のメモリ部内の各部の関係図。
【図５】同プログラマブル表示器のバージョンの更新処理のフロー図。
【図６】同プログラマブル表示器のバージョン更新の動作図。
【図７】本発明の第２実施の形態に係るプログラマブル表示器のバージョンの更新処理のフロー図。
【図８】同プログラマブル表示器のバージョン更新の動作図。
【符号の説明】
【００３８】
１  プログラマブル表示器
２  メモリ部
３  制御部
４  表示部
７  ネットワーク
２２  ファームウェア
２３  画面情報
２４  プログラム
２１１  バージョン情報管理部
２１２  情報判断部
２１３  更新実行部
【図１】
2007280201.tif 000003
【図２】
2007280201.tif 000004
【図３】
2007280201.tif 000005
【図４】
2007280201.tif 000006
【図５】
2007280201.tif 000007
【図６】
2007280201.tif 000008
【図７】
2007280201.tif 000009
【図８】
2007280201.tif 000010